(57)【要約】   【課題】  新設屋根による負荷にも接続・固定関係が失われるようなことがなく、固定具と既設屋根すなわち母屋側との流れ方向に係脱不可能な接続・固定関係が得られて、既設屋根上に新設屋根を重ね葺きして施工可能であると共にかかる施工を屋根の流れ方向と交差する方向にスライドさせることで行なえる重ね葺き用固定具を提供すること。  【解決手段】  既設屋根上のネジ部分に螺合されるナットにより母屋材に固定された既設屋根に対し重ね葺きされる新設屋根を、既設屋根上に連結固定する重ね葺き用固定具において、既設屋根上に流れ方向と交差する方向にスライドすることで取り付けられる下取付部２と、新設屋根を取り付ける上取付部３とを備えており、下取付部２には、既設屋根の流れ方向に沿う一側縁の開口部４から他側縁側に向けて挿入溝５を設け、この挿入溝５奥にネジ部分９ａが開口部４から該挿入溝５を経て係合可能な係合部６を形成してある。  【選択図】  図２
2007231555.tif 000002
【特許請求の範囲】
【請求項１】
既設屋根の上方に突出するボルトのネジ部分に螺合されるナットにより母屋材に固定された既設屋根に対し重ね葺きされる新設屋根を、前記既設屋根上に連結固定する重ね葺き用固定具において、前記既設屋根上に流れ方向と交差する方向にスライドすることで取り付けられる下取付部と、前記新設屋根を取り付ける上取付部とを備えており、前記下取付部には、既設屋根の流れ方向に沿う一側縁の開口部から他側縁側に向けて挿入溝を設け、この挿入溝奥に前記ネジ部分が開口部から該挿入溝を経て係合可能な係合部を形成してあることを特徴とする重ね葺き用固定具。
【請求項２】
係合部を、挿入溝と交差するように流れ方向の一方および／または他方に形成してあることを特徴とする請求項１記載の重ね葺き用固定具。
【請求項３】
請求項１記載の重ね葺き用固定具を用い、既設屋根上に新設屋根を重ね葺きしてなる改修構造であって、前記固定具の下取付部を、母屋材に固定された既設屋根上に載置すると共にボルトが開口部から挿入溝に挿入するように流れ方向と交差する方向にスライドし、ボルトが係合部に係合して流れ方向に抜止規制された状態の固定具における上取付部上に新設屋根を構築したことを特徴とする改修構造。
【発明の詳細な説明】
【技術分野】
【０００１】
本発明は既設屋根上に新設屋根を重ね葺きするのに用いられる重ね葺き用固定具およびこの固定具を用いた改修構造に関する。
【背景技術】
【０００２】
先行文献１には、屋根補修工法が記載され、同工法に用いられるクランプ金具として、断面山形の底面部に、その頂部を貫通してフックボルトのナット直下の軸部回りに嵌合せしめる穴と、該穴と底面部の上記端縁とを連通せしめてフックボルトの軸部を上記穴に嵌入させるガイド溝からなる切欠きを形成し、且つ、上記ガイド溝は上記穴との連接部の溝幅が上記孔の径よりも小さく、溝幅が底面部端縁の開口に向けて拡大するテーパー状に形成したものが記載および図示されている。
ところで、かかるクランプ金具では、ボルトの軸部と穴との嵌合関係を、穴およびこの穴に続くガイド溝の拡開により確保している構成のものであるため、この拡開によって嵌合関係という位置規制が失われる恐れがあるものであり、穴からボルトが外れてしまうことも起こり得る構造上の不備がある。この点は、底面部が断面山形で既設の波形スレートの山部に沿う形状であること、そして、新設の金属板屋根材の重量が負荷されることが相乗することにより、穴およびガイド溝は拡開動作し易くなっているといえる。
また、座金下のパッキン材により得ている接触摩擦抵抗は、パッキン材の劣化或いは振動等によって損なわれる虞れがあり、既設屋根との接続関係に対する貢献度は低いものになる。
このような拡開状態になれば、既設屋根材に対する固定具の接続・固定関係が失われるわけであるから、固定具ともども新設屋根材はフリーになってしまうという重大な問題に発展することにもなりかねない。
【特許文献１】特許２９０７４２２
【発明の開示】
【発明が解決しようとする課題】
【０００３】
解決しようとする課題は、第１には、新設屋根による負荷にも接続・固定関係が失われるようなことがなく、固定具と既設屋根すなわち母屋側との流れ方向に係脱不可能な接続・固定関係が得られて、既設屋根上に新設屋根を重ね葺きして施工可能であると共にかかる施工を屋根の流れ方向と交差する方向にスライドさせることで行なえる重ね葺き用固定具を、第２には、さらに、ネジ部分との係合時に、流れ方向および同方向と交差する挿入溝方向にも係脱不可能な接続・固定関係になることで、より堅固な接続・固定関係に重ね葺きして施工することが可能な重ね葺き用固定具を、第３には、新設屋根による負荷にも接続・固定関係が失われるようなことがなく、この流れ方向に係脱不可能な接続・固定関係に強制的に規制されることで、固定具と既設屋根すなわち母屋側との接続・固定関係が堅持され、かかる固定具を屋根の流れ方向と交差する方向にスライドさせることで、既設屋根上に新設屋根が確実に重ね葺きされている改修構造を提供することにある。
【課題を解決するための手段】
【０００４】
本発明は前記した課題を達成するため、重ね葺き用固定具では、以下の構成にしたことを特徴とする。
１．既設屋根の上方に突出するボルトのネジ部分に螺合されるナットにより母屋材に固定された既設屋根に対し重ね葺きされる新設屋根を、前記既設屋根上に連結固定する重ね葺き用固定具において、前記既設屋根上に流れ方向と交差する方向にスライドすることで取り付けられる下取付部と、前記新設屋根を取り付ける上取付部とを備えており、前記下取付部には、既設屋根の流れ方向に沿う一側縁の開口部から他側縁側に向けて挿入溝を設け、この挿入溝奥に前記ネジ部分が開口部から該挿入溝を経て係合可能な係合部を形成してあることを特徴とする。
２．前記した１において、係合部を、挿入溝と交差するように流れ方向の一方および／または他方に形成してあることを特徴とする。
そして、かかる固定具を用いた改修構造では、以下の構成にしたことを特徴とする。
３．前記した１記載の重ね葺き用固定具を用い、既設屋根上に新設屋根を重ね葺きしてなる改修構造であって、前記固定具の下取付部を、母屋材に固定された既設屋根上に載置すると共にボルトが開口部から挿入溝に挿入するように流れ方向と交差する方向にスライドし、ボルトが係合部に係合して流れ方向に抜止規制された状態の固定具における上取付部上に新設屋根を構築したことを特徴とする。
【０００５】
本発明における固定具の形態は、既設屋根上に取り付けられる下取付部と、新設屋根を取り付ける上取付部とが上下位置関係を有するもの全てを含み、この上下位置関係としては、上下対向状或いは上下対称状等が挙げられる。下取付部は既設屋根に沿う形状に形成されるのが望ましい。また、新設屋根を取り付ける上取付部は、屋根材等の外装材を直接取り付ける態様のものであっても良いし、垂木等の支持部材、或いは外装材の保持部材（吊子等）、断熱材等を介在させて取り付ける態様のものであっても良い。この上取付部は、外装材を直接取り付ける場合は、その外装材の形状に沿う形状としても良いし、上下両面が水平状の垂木等を介在する場合は略水平状に形成しても良い。同様に、既設屋根上に取り付けられる下取付部は、屋根上面に直接取り付けられる態様のものであっても良いし、他の部材を介在させて取り付けられる態様のものであっても良い。かかる固定具は、複数の部材から形成されているものであっても良い。
挿入溝は、既設屋根の上方に突出するボルトのネジ部分が挿入可能な例えば平面視略Ｕ字状等の奥端がある溝であれば良く、溝幅は、ネジ部分が挿入し易いようにネジ部分の径よりもやや大幅であってもよいし、ネジ部分と同径あるいは僅かに小幅にすることでネジ部分が抜け難いように形成してもよい。この溝入口の開口部は側縁に向けて広がるテーパー状であるのが望ましい。
係合部は、ネジ部分が開口部から挿入溝を経て係合し得るように挿入溝奥に連続して形成されているものであればよく、挿入溝の奥端を係合部として形成してあるものであってもよいし、挿入溝と交差するように流れ方向の一方および／または他方に形成してあるものであってもよい。後者では、挿入溝と係合部がＬ字状あるいはＴ字状もしくは十字状に連続している態様等が挙げられる。この係合部は、ボルトのネジ部分と同径であってもよいし、やや大径であってもよい。
固定具の材質は、金属或いは樹脂等の硬質材になる。
新設屋根としては、新設屋根材に限らず、垂木や床板等も含まれる。既設屋根としては、固定具を取り付け可能なようにボルト（若しくは類する部材）等が立設されている公知の既設屋根（主に波形スレート屋根）であれば良い。
【発明の効果】
【０００６】
Ａ．請求項１により、新設屋根による負荷にも接続・固定関係が失われるようなことがなく、固定具と既設屋根すなわち母屋側との流れ方向に係脱不可能な接続・固定関係が得られて、既設屋根上に新設屋根を重ね葺きして施工することができると共にかかる施工を屋根の流れ方向と交差する方向にスライドさせることで行なうことができる。
したがって、既設屋根上に新設屋根を重ね葺きするのに有用であり、また、間に断熱材或いは断熱空間層を形成するような上下の二重葺き屋根の施工に有用である。
Ｂ．請求項２により、さらに、ネジ部分との係合時に、流れ方向および同方向と交差する挿入溝方向にも係脱不可能な接続・固定関係になることで、より堅固な接続・固定関係に重ね葺きして施工することができる。
また、係合部を流れ方向の一方と他方の双方に形成してある場合では、ボルトに対するスライド方向の制限がなく、流れ方向と交差するいずれの方向からでもボルトに対してスライドさせて係合することができ、施工する際に選択することもできる。
Ｃ．請求項３により、新設屋根による負荷にも接続・固定関係が失われるようなことがなく、この流れ方向に係脱不可能な接続・固定関係に強制的に規制されていることで、固定具と既設屋根すなわち母屋側との接続・固定関係が堅持され、かかる固定具を経て既設屋根上に新設屋根が確実に重ね葺きされていて堅牢である。
【発明を実施するための最良の形態】
【０００７】
図１〜図２には本発明の重ね葺き用固定具における実施の１形態を示しており、固定具１は断面略コ状のピース材で、後で説明する既設屋根材８の突条部８ａ上面に沿う形状の断面凸曲状下取付部２と、後で説明する新設屋根材１３の下面に沿う形状の水平状上取付部３とを上下対向状に備えている。
下取付部２には、板面の長手方向（流れ方向）に沿う右側縁の開口部４から左側縁側に向けて、挿入溝５と、この挿入溝５奥の係合部６を相互に連通状に形成してある。
挿入溝５は、右側縁の開口部４から他側縁側に向けて板面のほぼ中央まで達する平面視略Ｕ字状に設けてあり、その溝幅を既設屋根材８の上方に突出するフックボルト９のネジ部分９ａの径よりもやや大幅で且つネジ部分９ａに螺合されるナット１０および座金１１並びに弾性材１２の径よりも小径に形成してある。また、挿入溝５入口の開口部４は、フックボルト９が挿入溝５に入り易いように右側縁に向けて拡開する略テーパー状に形成してある。
【０００８】
係合部６は、挿入溝５と平面視略十字状に交差するように、挿入溝５奥端の前側および後側（流れ方向の双方すなわち水上側および水下側）に形成してある。この前後の係合部６は、ネジ部分９ａの径よりもやや大径で且つネジ部分９ａに螺合されるナット１０および座金１１並びに弾性材１２の径よりも小径（図面上では挿入溝幅と同径）の略半円状にそれぞれ形成してあり、挿入溝５奥まで挿入されたネジ部分９ａに対して下取付部２を前側にスライドさせることで後側の係合部６がネジ部分９ａと係合可能にし、また、下取付部２を後側にスライドさせることで前側の係合部６がネジ部分９ａと係合可能にしてある。そして、かかる係合状態では、下取付部２を係合方向と反対の後側あるいは前側に一度戻さない限り、下取付部２を左右方向（流れ方向と交差する方向）のいずれにもスライドできぬようにすることで、係合部６とネジ部分９ａとの係合関係が保たれるように形成してある。また、係合部６は流れ方向に沿う長孔状であってもよい。
【０００９】
図３には本発明の重ね葺き用固定具における実施の他の1形態を例示しており、構成は前記した図１の態様のものと挿入溝５と係合部６を平面視略Ｌ字状に連通させて形成してある点を除いて基本的に同一であるため、符号を準用して説明を省略する。
【００１０】
図４〜図５には本発明の重ね葺き用固定具を用いた改修構造における実施の1形態として、図１の固定具を用いて既設屋根材上に新設屋根材を重ね葺きした屋根構造を例示しており、母屋材７に大波スレート製の既設屋根材８を敷設した状態に、既設屋根材８の突条部８ａ上方に突出するフックボルト９のネジ部分９ａに螺合したナット１０により座金１１およびパッキング等の弾性材１２を介在させて固定している。
この既設屋根材８の突条部８ａにおける上方へ突出状のネジ部分９ａ脇には、固定具１の下取付部２を開口部４がネジ部分９ａの左脇に位置するように載置し、固定具１を流れ方向と交差する右方向にスライドさせて、突条部８ａ上面と弾性材１２下面との間に下取付部２をフックボルト９が挿入溝５奥に突当るまで押し込んだ後、固定具１を突条部８ａに沿い水下側にスライドし、後側の係合部６にネジ部分９ａを係合してある。この係合状態では、下取付部２が流れ方向と交差する左右方向へのスライドを阻止されていることで、フックボルト９は係合部６内に抜止規制されている。
【００１１】
既設屋根材８上には折板製の新設屋根材１３を敷設し、既設屋根材８の突条部８ａ上に係止固定された固定具１における上取付部３上面には、隣り合う左右の新設屋根材１３における左右の側縁部１３ａを上下重合状に載置すると共に、この左右側縁部１３ａをタッピングネジ等の留め具１４で上取付部３に接続固定してある。留め具１４の拡大頭部１４ａと側縁部１３ａとの間には座金１５およびパッキング等の弾性材１６を介在させて雨仕舞している。
これにより、弾性材１６の劣化或いは振動等によっても、固定具１と既設屋根材８すなわち母屋側との固定関係が堅持され、かかる固定具１を経て既設屋根材８上に新設屋根材１３が確実に重ね葺きされている。
【００１２】
かかる屋根構造では、固定具１を突条部８ａに沿い水上側にスライドし、前側の係合部６にネジ部分９ａを係合するようにしてもよい。
また、固定具１を水平に１８０度回して、開口部４がネジ部分９ａの右脇に位置するように載置し、固定具１を流れ方向と交差する左方向にスライドさせて、突条部８ａ上面と弾性材１２下面との間に下取付部２をフックボルト９が挿入溝５奥に突当るまで押し込んだ後、固定具１を突条部８ａに沿い水下側にスライドし、後側の係合部６（元の前側の係合部）にネジ部分９ａを係合するようにしてもよい。したがって、既設屋根材８に対する固定具１の取付けをフックボルト９の右側あるいは左側のいずれからでも行なえる。
【００１３】
図３の固定具１を用いて既設屋根材上に新設屋根材を重ね葺きした屋根構造は、前記した図１の固定具１を用いた図４〜５に示す屋根構造と同じになるため、図示を省略する。
【図面の簡単な説明】
【００１４】
【図１】本発明の重ね葺き用固定具における実施の１形態を例示している正面図。
【図２】一部切欠して示す平面図。
【図３】本発明の重ね葺き用固定具における実施の他の１形態を例示している平面図で一部切欠して示す。
【図４】本発明の重ね葺き用固定具を用いた改修構造における実施の１形態として、図１の固定具を用い既設屋根材上に新設屋根材を重ね葺きした屋根構造を示す縦断側面図。
【図５】縦断正面図。
【符号の説明】
【００１５】
１  固定具
２  下取付部
３  上取付部
４  開口部
５  挿入溝
６  係合部
７  母屋材
８  既設屋根材（既設屋根）
８ａ  突条部
９  フックボルト
９ａ  ネジ部分
１０  ナット
１１、１５  座金
１２、１６  弾性材
１３  新設屋根材（新設屋根）
１３ａ  左右側縁部
１４  留め具
１４ａ  拡大頭部
【図１】
2007231555.tif 000003
【図２】
2007231555.tif 000004
【図３】
2007231555.tif 000005
【図４】
2007231555.tif 000006
【図５】
2007231555.tif 000007